(57)【要約】【課題】  コーヒー粉の蒸らし時間を十分に確保することができるとともに、コーヒーの抽出量を外部から容易に確認することができるコーヒードリッパーを提供する。【解決手段】  漏斗状に形成され、濾紙を受けるためのドリッパー本体部６と、ドリッパー本体部６内にて生成されたコーヒーを外部に抽出するための抽出ノズル１４と、抽出ノズル１４を開閉するための開閉手段３２と、を備えたコーヒードリッパー２である。抽出ノズル１４は、ドリッパー本体部６の側部における下部から外部に突出される。【選択図】  図１
2011240025.tif 000002
【特許請求の範囲】
【請求項１】
漏斗状に形成され、濾紙を受けるためのドリッパー本体部と、前記ドリッパー本体部内にて生成されたコーヒーを外部に抽出するための抽出ノズルと、前記抽出ノズルを開閉するための開閉手段と、を備え、前記抽出ノズルは、前記ドリッパー本体部の側部における下部から外部に突出されることを特徴とするコーヒードリッパー。
【請求項２】
前記開閉手段は、前記抽出ノズルの所定部位に設けられた開閉弁と、前記開閉弁を開閉操作するための操作ハンドルと、を有していることを特徴とする請求項１に記載のコーヒードリッパー。
【請求項３】
前記ドリッパー本体部を下方より支持するためのフランジ部と、前記抽出ノズルの一部を前記フランジ部に支持するための支持手段と、を更に備え、前記抽出ノズルの先端部は、前記フランジ部の外側に延びていることを特徴とする請求項１又は２に記載のコーヒードリッパー。
【発明の詳細な説明】
【技術分野】
【０００１】
本発明は、濾紙を使用してコーヒーを抽出するコーヒードリッパーに関する。
【背景技術】
【０００２】
従来より、濾紙を使用してコーヒーを抽出するコーヒードリッパーが用いられている。コーヒードリッパーでコクのある美味しいコーヒーを抽出するには、濾紙内にコーヒー粉を入れて適量の湯を注ぎ、コーヒー粉全体を湯で膨張させる蒸らしを十分に行うのがよいことが知られている。しかしながら、このようなコーヒードリッパーでは、例えば１人分の湯を注いだときにはドリップ速度（即ち、コーヒーが抽出される速度）が比較的速いため、コーヒー粉の蒸らし時間が短くなってしまい、コーヒー成分の少ない薄いコーヒーが抽出されてしまうという問題があった。
【０００３】
そこで、近年、ドリップ速度を調節することのできるコーヒードリッパーが提案されている（例えば、特許文献１参照）。このコーヒードリッパーは、漏斗状に形成されたドリッパー本体部と、ドリッパー本体部を下方より支持するためのフランジ部と、ドリッパー本体部の外側部に設けられた取っ手と、を備えている。ドリッパー本体部の底部には、ドリッパー本体部内で生成されたコーヒーを外部に抽出するための抽出孔と、抽出孔の開度を調節するための調節弁と、調節弁を操作するための操作レバーとが設けられている。また、ドリッパー本体部の内側面には、濾紙との間に空間を形成するための複数のリブが形成されている。
【０００４】
上述したコーヒードリッパーは、次のようにして使用される。まず、フランジ部をコーヒーカップの開口部に載置し、ドリッパー本体部内に濾紙をセットする。次いで、調節弁により抽出孔を閉じた状態で、濾紙内にコーヒー粉を入れて適量の湯を注ぐ。これにより、コーヒー成分の少ない薄いコーヒーが抽出孔より抽出されてしまうことがなく、コーヒー粉の蒸らし時間を十分に確保することができる。蒸らし時間の経過後に調節弁により抽出孔を開くことにより、生成されたコーヒーが抽出孔よりコーヒーカップ内に抽出される。
【先行技術文献】
【特許文献】
【０００５】
【特許文献１】特開２０００−６０７３５号公報
【発明の概要】
【発明が解決しようとする課題】
【０００６】
上述した従来のコーヒードリッパーでは、コーヒーカップの開口部がフランジ部によって覆われるため、コーヒーカップ内に抽出されたコーヒーの量（即ち、抽出量）を外部から確認することができない。そのため、コーヒーの抽出中にドリッパー本体部をコーヒーカップから持ち上げて、コーヒーカップ内のコーヒーの抽出量を確認しなければならず、大変煩わしいものであった。
【０００７】
本発明の目的は、コーヒー粉の蒸らし時間を十分に確保することができるとともに、コーヒーの抽出量を外部から容易に確認することができるコーヒードリッパーを提供することである。
【課題を解決するための手段】
【０００８】
本発明の請求項１に記載のコーヒードリッパーでは、漏斗状に形成され、濾紙を受けるためのドリッパー本体部と、前記ドリッパー本体部内にて生成されたコーヒーを外部に抽出するための抽出ノズルと、前記抽出ノズルを開閉するための開閉手段と、を備え、前記抽出ノズルは、前記ドリッパー本体部の側部における下部から外部に突出されることを特徴とする。
【０００９】
また、本発明の請求項２に記載のコーヒードリッパーでは、前記開閉手段は、前記抽出ノズルの所定部位に設けられた開閉弁と、前記開閉弁を開閉操作するための操作ハンドルと、を有していることを特徴とする。
【００１０】
また、本発明の請求項３に記載のコーヒードリッパーでは、前記ドリッパー本体部を下方より支持するためのフランジ部と、前記抽出ノズルの一部を前記フランジ部に支持するための支持手段と、を更に備え、前記抽出ノズルの先端部は、前記フランジ部の外側に延びていることを特徴とする。
【発明の効果】
【００１１】
本発明の請求項１に記載のコーヒードリッパーによれば、ドリッパー本体部内にて生成されたコーヒーを外部に抽出するための抽出ノズルと、抽出ノズルを開閉するための開閉手段と、を備えているので、ドリッパー本体部内にセットした濾紙内にコーヒー粉を入れて湯を注いだ際に、開閉手段により抽出ノズルを閉じることにより、コーヒー成分の少ない薄いコーヒーが抽出ノズルより抽出されてしまうことがなく、コーヒー粉の蒸らし時間を十分に確保することができる。このようにコーヒー粉を十分に蒸らすことにより、コーヒー成分が抽出し易くなり、コーヒー成分の多い美味しいコーヒーを生成することができる。また、抽出ノズルは、ドリッパー本体部の側部における下部から外部に突出されているので、従来のコーヒードリッパーのようにコーヒーカップの開口部をフランジ部により覆うことなく、コーヒーを抽出ノズルよりコーヒーカップ内に抽出することができ、コーヒーカップ内のコーヒーの抽出量を容易に確認することができる。
【００１２】
また、本発明の請求項２に記載のコーヒードリッパーによれば、開閉手段は、抽出ノズルの所定部位に設けられた開閉弁と、開閉弁を開閉操作するための操作ハンドルと、を有しているので、操作ハンドルを操作することによって開閉弁の開閉操作を容易に行うことができ、抽出ノズルの開閉を容易に行うことができる。
【００１３】
また、本発明の請求項３に記載のコーヒードリッパーによれば、抽出ノズルの一部をフランジ部に支持するための支持手段を備えているので、抽出ノズルをドリッパー本体部の側部における下部から外部に突出した状態で安定して支持することができる。また、抽出ノズルの先端部はフランジ部の外側に延びているので、抽出ノズルより抽出されたコーヒーがフランジ部によって遮られることがない。
【図面の簡単な説明】
【００１４】
【図１】本発明の一実施形態によるコーヒードリッパーを示す斜視図である。
【図２】コーヒードリッパーの一部を切り欠いて示す要部断面図である。
【図３】コーヒードリッパーの平面図である。
【図４】コーヒードリッパーの正面図である。
【図５】コーヒードリッパーの底面図である。
【図６】コーヒードリッパーの背面図である。
【図７】コーヒードリッパーの右側面図である。
【図８】コーヒードリッパーの左側面図である。
【図９】コーヒードリッパーの使用状態を示す斜視図である。
【図１０】抽出ノズル、一対の支持部材及び開閉手段を実線で、他の部分を破線で表したコーヒードリッパーの平面図である。
【図１１】抽出ノズル、一対の支持部材及び開閉手段を実線で、他の部分を破線で表したコーヒードリッパーの正面図である。
【図１２】抽出ノズル、一対の支持部材及び開閉手段を実線で、他の部分を破線で表したコーヒードリッパーの底面図である。
【図１３】抽出ノズル、一対の支持部材及び開閉手段を実線で、他の部分を破線で表したコーヒードリッパーの背面図である。
【図１４】抽出ノズル、一対の支持部材及び開閉手段を実線で、他の部分を破線で表したコーヒードリッパーの右側面図である。
【図１５】抽出ノズル、一対の支持部材及び開閉手段を実線で、他の部分を破線で表したコーヒードリッパーの左側面図である。
【図１６】抽出ノズル、一対の支持部材及び開閉手段を実線で、他の部分を破線で表したコーヒードリッパーの斜視図である。
【図１７】抽出ノズル、一対の支持部材及び開閉手段を実線で、他の部分を破線で表したコーヒードリッパーの使用状態を示す参考斜視図である。
【図１８】他の実施形態によるコーヒードリッパーを示す斜視図である。
【発明を実施するための形態】
【００１５】
以下、添付図面を参照して、本発明に従うコーヒードリッパーの一実施形態について説明する。図１は、本発明の一実施形態によるコーヒードリッパーを示す斜視図であり、図２は、コーヒードリッパーの一部を切り欠いて示す要部断面図であり、図３は、コーヒードリッパーの平面図であり、図４は、コーヒードリッパーの正面図であり、図５は、コーヒードリッパーの底面図であり、図６は、コーヒードリッパーの背面図であり、図７は、コーヒードリッパーの右側面図であり、図８は、コーヒードリッパーの左側面図であり、図９は、コーヒードリッパーの使用状態を示す斜視図である。
【００１６】
図１〜図８を参照して、本実施形態のコーヒードリッパー２は、濾紙４（図９参照）を受けるためのドリッパー本体部６を備えている。ドリッパー本体部６は漏斗状に形成され、その内側面には、濾紙４との間に空間（図示せず）を形成するための複数のリブ８が形成されている。各リブ８は、ドリッパー本体部６の開口部近傍から底部まで直線状に延びるとともに、ドリッパー本体部６の周方向に間隔を置いて配置されている。ドリッパー本体部６の底部には、ドリッパー本体部６を下方より支持するためのフランジ部１０が設けられている。また、ドリッパー本体部６の外側部には取っ手１２が設けられている。
【００１７】
本実施形態のコーヒードリッパー２では、ドリッパー本体部６内で生成されたコーヒーを外部に抽出するための抽出ノズル１４が設けられている。この抽出ノズル１４は一対のノズル体１６，１８を有し、各ノズル体１６，１８はそれぞれ、一対の支持部材２０，２２（支持手段を構成する）を介してフランジ部１０の上側面に間隔を置いて支持されている。支持部材２０（２２）は、筒状の支持本体部２４（２６）と、支持本体部２４（２６）の下端部に設けられた取付部２８（３０）と、を有し、支持本体部２４（２６）には抽出ノズル１４のノズル体１６（１８）が挿通支持され、取付部２８（３０）は、例えば接着剤やネジ（図示せず）などによりフランジ部１０の上側面に取り付けられている。このようにして支持された抽出ノズル１４は、ドリッパー本体部６の側部における下部から外部に突出されており、抽出ノズル１４の先端部（即ち、ノズル体１６の一端部）はフランジ部１０の外側に延び、またその基端部（即ち、ノズル体１８の一端部）は、ドリッパー本体部６の側部を貫通してその内部に幾分突出されている（図２参照）。なお、抽出ノズル１４の先端は、コーヒーの液切れを良くするために斜めにカットされている。
【００１８】
また、抽出ノズル１４の所定部位（具体的には、一対のノズル体１６，１８の間の部位）には、開閉弁３２と、この開閉弁３２を開閉操作するための操作ハンドル３４とが配設されている。これら開閉弁３２及び操作ハンドル３４によって、抽出ノズル１４を開閉するための開閉手段が構成される。開閉弁３２は、弁本体部３６と、弁本体部３６に回動自在に設けられた回転軸部３８と、を有している。弁本体部３６の両側部にはそれぞれ開口部４０，４２が設けられ、一方の開口部４０はノズル体１６の他端部と連結され、また他方の開口部４２はノズル体１８の他端部と連結されている。また、回転軸部３８には、その軸方向に対して略垂直方向に延びる流路４４が設けられている。操作ハンドル３４は回転軸部３８の上端部に取り付けられ、操作ハンドル３４と抽出ノズル１４とが略垂直となる閉位置（図１及び図３〜図８参照）と、操作ハンドル３４と抽出ノズル１４とが略平行となる開位置（図２及び図９参照）との間を回動される。操作ハンドル３４が開位置にあるときには、回転軸部３８の流路４４が抽出ノズル１４内と連通されることにより開閉弁３２が開状態に保持され、ドリッパー本体部６内で生成されたコーヒーが抽出ノズル１４を通して外部に抽出される。また、操作ハンドル３４が閉位置にあるときには、回転軸部３８の流路４４が抽出ノズル１４内と遮断されることにより開閉弁３２が閉状態に保持され、コーヒーの外部への抽出が遮断される。
【００１９】
次に、図９を参照して、本実施形態のコーヒードリッパー２の使用方法について説明する。まず、コーヒードリッパー２を支持台４６の上に載置させ、抽出ノズル１４の前方にコーヒーカップ４８を載置する。この支持台３４の高さは、コーヒーカップ４８の高さよりも高いのが好ましい。このとき、フランジ部１０が支持台４６の上端部に載置され、このフランジ部１０によってドリッパー本体部６が下方より支持されるので、ドリッパー本体部６を支持台４６の上に安定して支持させることができる。なお、支持台４６はコーヒードリッパー専用のものでもよく、あるいは、既存の空き箱や空き瓶などを支持台４６として用いるようにしてもよい。
【００２０】
次いで、市販のコーヒードリッパー用の濾紙４を漏斗状に広げてドリッパー本体部６内にセットし、このセットした濾紙４内にコーヒー粉５０を所定量投入する。その後、開閉弁３２を閉状態に保持した状態で、濾紙４内に適量の湯を注ぐことにより、コーヒー成分の少ない薄いコーヒーが抽出ノズル１４より抽出されてしまうことがなく、コーヒー粉５０の蒸らし時間を十分に確保することができる。このようにコーヒー粉５０を十分に蒸らすことにより、コーヒー成分が抽出し易くなり、コーヒー成分の多い美味しいコーヒーが生成される。生成されたコーヒーは、濾紙４とドリッパー本体部６との間の空間を下方に流れて、ドリッパー本体部６の内部に溜まるようになる。蒸らし時間（例えば１分程度）の経過後に開閉弁３２を開状態に保持することにより、ドリッパー本体部６内のコーヒーが抽出ノズル１４を通してコーヒーカップ４８内に抽出される。コーヒーの抽出が完了した際に、開閉弁３２を開状態から閉状態に保持することにより、抽出ノズル１４からのコーヒーの液垂れが防止される。
【００２１】
本実施形態のコーヒードリッパー２では、従来のようにコーヒーカップ４８の開口部をフランジ部１０により覆うことなく、コーヒーをコーヒーカップ４８内に抽出することができ、コーヒーカップ４８内のコーヒーの抽出量を容易に確認することができる。なお、数人分（例えば、２〜３人分）のコーヒーを抽出するときには、まず、１人分のコーヒーを抽出した後に開閉弁３２を開状態から閉状態に保持し、次いで、コーヒーカップ４８を交換し、開閉弁３２を閉状態から開状態に保持して次の１人分のコーヒーを抽出すればよい。
【００２２】
なお、本実施形態のコーヒードリッパーでは、図１０〜図１７において実線で示した部分が部分意匠として優れている部分である。図１０〜図１７はそれぞれ、図３〜図８、図１及び図９に対応しており、抽出ノズル１４、一対の支持部材２０，２２及び開閉手段３２，３４を実線で、他の部分を破線で表した図である。図１０〜図１７において、実線で表された部分は、本発明のコーヒードリッパー２について仮に部分意匠の意匠登録出願をする場合に、「部分意匠として意匠登録を受けようとする部分」となる部分であり、破線で表された部分は、「部分意匠として意匠登録を受けようとする部分以外の部分」となる部分である。
【００２３】
次に、図１８を参照して、コーヒードリッパーの他の実施形態について説明する。図１８は、他の実施形態によるコーヒードリッパーを示す斜視図である。図１８において、上述した実施形態の構成要素と同一の構成要素には同一の符号を付して、その説明を省略する。
【００２４】
本実施形態のコーヒードリッパー２Ａでは、ドリッパー本体部６Ａの一側部における下部に抽出ノズル１４が一対設けられており、各抽出ノズル１４にそれぞれ対応して一対のコーヒーカップ（図示せず）を載置することにより、２人分のコーヒーを同時に抽出することができる。なお、上述のように載置した一対のコーヒーカップ（図示せず）が相互に干渉しないように、一対の抽出ノズル１４は、それらの先端部が相互にやや外側を向くように配置するのが好ましい。
【００２５】
以上、本発明に従うコーヒードリッパーの一実施形態について説明したが、本発明はかかる実施形態に限定されるものではなく、本発明の範囲を逸脱することなく種々の変形乃至修正が可能である。
【００２６】
上記各実施形態では、ドリッパー本体部６（６Ａ）の開口部を円形状に、その底部を長円形状に形成したが、例えばドリッパー本体部６（６Ａ）の開口部及び底部をともに円形状に形成し、ドリッパー本体部６（６Ａ）全体を逆円錐筒状に形成してもよい。
【００２７】
また、上記各実施形態では、ドリッパー本体部６（６Ａ）を下方より支持するためのフランジ部１０を設けるように構成したが、このフランジ部１０を省略してもよい。
【００２８】
また、上記各実施形態では、開閉手段を開閉弁３２及び操作ハンドル３４から構成したが、例えば抽出ノズル１４の先端部に開閉自在に支持された開閉キャップ（図示せず）などから構成することもできる。
【符号の説明】
【００２９】
２，２Ａ  コーヒードリッパー
４  濾紙
６，６Ａ  ドリッパー本体部
１０  フランジ部
１４  抽出ノズル
２０，２２  支持部材
３２  開閉弁
３４  操作ハンドル
【図１】
2011240025.tif 000003
【図２】
2011240025.tif 000004
【図３】
2011240025.tif 000005
【図４】
2011240025.tif 000006
【図５】
2011240025.tif 000007
【図６】
2011240025.tif 000008
【図７】
2011240025.tif 000009
【図８】
2011240025.tif 000010
【図９】
2011240025.tif 000011
【図１０】
2011240025.tif 000012
【図１１】
2011240025.tif 000013
【図１２】
2011240025.tif 000014
【図１３】
2011240025.tif 000015
【図１４】
2011240025.tif 000016
【図１５】
2011240025.tif 000017
【図１６】
2011240025.tif 000018
【図１７】
2011240025.tif 000019
【図１８】
2011240025.tif 000020